(57)【要約】【課題】振動板が分割振動することを抑制して、音響特性の向上を図ることができるスピーカを提供する。【解決手段】スピーカは、磁気回路部と振動部とフレームとを備えている。振動部は磁気回路部によって振動される振動板２１と該振動板２１に内縁部が取り付けられ且つフレームに外縁部が取り付けられたエッジ２０とを備えている。振動板２１は、エッジ２０との接合箇所に、該接合箇所の剛性を高めるためのリブ２２が当該振動板２１の周方向に沿って互いに間隔をあけて複数設けられ、且つ、これら複数のリブ２２がそれぞれ振動板２１の径方向に対して所定の角度で傾斜して形成されている。【選択図】図２
2009159009.tif 000002
【特許請求の範囲】
【請求項１】
フレームと、
前記フレームに支持される磁気回路部と、
音声電流が供給されるボイスコイルによって振動する振動板と、内縁部が前記振動板に取り付けられ且つ外縁部が前記フレームに取り付けられるエッジとを有する振動部と、
を備えたスピーカにおいて、
前記振動板の前記エッジとの接合箇所に、該接合箇所の剛性を高めるためのリブが前記振動板の周方向に沿って互いに間隔をあけて複数設けられているとともに、
前記複数のリブが、それぞれ、前記振動板の径方向に対して所定の角度で傾斜して形成されていることを特徴とするスピーカ。
【請求項２】
前記複数のリブのうち、長さと、高さと、厚みの少なくとも１つが異なるリブが少なくとも２つ設けられていることを特徴とする請求項１に記載のスピーカ。
【請求項３】
前記複数のリブは、前記接合箇所に他の部分よりも剛性の低い箇所が前記振動板の周方向に間隔をあけて複数形成されるように、配置されていることを特徴とする請求項２に記載のスピーカ。
【請求項４】
前記複数のリブは、前記複数の剛性の低い箇所を結んで形成される平面形状が奇数角形となるように、配置されていることを特徴とする請求項３に記載のスピーカ。
【発明の詳細な説明】
【技術分野】
【０００１】
本発明は、例えば、音声電流が供給されることで振動板を振動させて音を発生するスピーカに関する。
【背景技術】
【０００２】
例えば、移動体としての自動車には、従来から種々のスピーカ（例えば、特許文献１参照。）が搭載されている。特許文献１に示されたスピーカは、有底筒状のフレームと、該フレーム内に収容された振動部と、前記フレームが取り付けられ且つ前記振動部に駆動力を生じさせる磁気回路部と、を備えている。
【０００３】
振動部は、音声電流が供給されるボイスコイルと、このボイスコイルの駆動力により振動する振動板と、前記フレームと振動板とを連結するエッジと、を備えている。前記駆動力とは、ボイスコイルに音声電流を流した際に生じる電磁気力（ローレンツ力とも言う）を指す。
【０００４】
エッジは、可撓性を有する材料で構成され且つ円環状に形成されている。エッジは、内縁部が振動板の外縁部に取り付けられるとともに、外縁部がフレームに取り付けられて、振動板をフレームに変位可能に支持する。
【０００５】
磁気回路部は、永久磁石を備え、その磁気ギャップ内にボイスコイルを配置している。
【０００６】
前述した構成のスピーカは、ボイスコイルに音声電流が供給されて、該ボイスコイルに電磁気力（ローレンツ力）が作用することで、前述した振動板を振動させて、前記音声電流に応じた音を音響放射方向へ発生させる。
【特許文献１】特開２００２−２７１８８７号公報
【発明の開示】
【発明が解決しようとする課題】
【０００７】
前述した構成のスピーカは、振動板の外縁部とエッジの内縁部との間に接着剤を塗布して、振動板の外縁部とエッジの内縁部とを重ねて、振動板とエッジとを互いに固定していた。このような構成においては、振動板のエッジが重ねられた箇所に比べてエッジが重ねられていない箇所の剛性が低くなるため、その境界で振動板の剛性が急激に変化する。そして、この振動板の剛性が急激に変化する境界が当該振動板の全周に亘って延在しているため、その境界の両側で互いに上下逆の動きをする分割振動が生じやすく、スピーカの音響特性を低下させるという問題があった。
【０００８】
本発明は、このような問題点に対処することを課題の一例とするものである。本発明の目的は、例えば、振動板が分割振動することを抑制して、音響特性の向上を図ることができるスピーカを提供することにある。
【課題を解決するための手段】
【０００９】
前記課題を解決し目的を達成するために、請求項１に記載の本発明のスピーカは、フレームと、前記フレームに支持される磁気回路部と、音声電流が供給されるボイスコイルによって振動する振動板と内縁部が前記振動板に取り付けられ且つ外縁部が前記フレームに取り付けられるエッジとを有する振動部と、を備えたスピーカにおいて、前記振動板の前記エッジとの接合箇所に、該接合箇所の剛性を高めるためのリブが前記振動板の周方向に沿って互いに間隔をあけて複数設けられているとともに、前記複数のリブが、前記振動板の径方向に対して所定の角度で傾斜して形成されていることを特徴としている。
【発明を実施するための最良の形態】
【００１０】
以下、本発明の一実施形態にかかるスピーカを説明する。本発明の一実施形態にかかるスピーカは、振動板のエッジとの接合箇所に、該接合箇所の剛性を高めるためのリブを振動板の径方向に対して所定の角度で傾斜して形成し且つ振動板の周方向に沿って互いに間隔をあけて複数設けることにより、振動板のリブが形成された箇所とリブが形成されていない箇所とで当該振動板の剛性を変化させることで、振動板の剛性が急激に変化する境界を分散させることができる。したがって、振動板が振動した際に当該振動板の剛性が急激に変化する境界で生じる分割振動を抑止することができ、振動板全体において、その音圧周波数特性に鋭い山や谷（ピーク・ディップと呼称されている）として見られるような、異常音の発生を抑止することができる。
【００１１】
また、複数のリブのうち、長さと、高さと、厚みの少なくとも１つが異なるリブを少なくとも２つ設けていても良い。この場合、周方向に対して剛性が不均一となるので、振動板が振動した際に当該振動板の剛性が急激に変化する境界で生じる分割振動をより抑止することができる。
【００１２】
さらに、複数のリブを、振動板のエッジとの接合箇所に他の部分よりも剛性の低い箇所が該振動板の周方向に間隔をあけて複数形成されるように、配置しても良い。この場合、周方向に対して剛性がより不均一となるので、振動板が振動した際に当該振動板の剛性が急激に変化する境界で生じる分割振動をより抑止することができる。
【００１３】
また、複数のリブを、複数の剛性の低い箇所を結んで形成される平面形状が奇数角形となるように、配置しても良い。この場合、周方向に対して剛性がより一層不均一となるので、振動板が振動した際に当該振動板の剛性が急激に変化する境界で生じる分割振動をより抑止することができる。
【実施例】
【００１４】
本発明の一実施例を、図１乃至図３に基づいて説明する。本発明の一実施例に係るスピーカ１は、移動体としての自動車などに搭載されて、該自動車の乗員に音声情報を提供する。
【００１５】
スピーカ１は、図１に示すように、フレーム４と、磁気回路部２と、該磁気回路部２によって振動されて音を生じる振動部３と、を備えている。
【００１６】
フレーム４は、厚手の板金で構成されている。フレーム４は、円環状の底部６と、該底部６の外周縁から立ち上がるように連なり且つ外観が裁頭錐（錐台）状の本体部７と、該本体部７の外縁から当該本体部７の外方向に延びたフランジ部８と、を備えている。
【００１７】
本体部７は、円筒状に形成されている。本体部７は、当該本体部７から外側に向かって突出するように取り付けられた平板状の端子部９を有している。この端子部９は、アンプなどの外部機器と接続されている。端子部９は、アンプなどの外部機器から音声電流が供給される。フランジ部８は、円環状に形成され且つ本体部７の外縁に沿って該本体部７の全周に亘って設けられている。
【００１８】
磁気回路部２は、図１に示すように、磁性体（所謂、常磁性体又は強磁性体）で構成されたヨーク１０と、磁石１１と、磁性体（所謂、常磁性体又は強磁性体）で構成されたヨークプレート１２とを備えている。ヨーク１０は、円環状のボトムプレート１３と、該ボトムプレート１３の中央の内縁部から立設した円筒状のセンターポール１４と、を一体に備えた外磁型磁気回路である。
【００１９】
なお、本実施例では外磁型磁気回路を開示するが、本発明は、内磁型磁気回路や、内磁型や外磁型を併用した磁気回路（ボイスコイルボビンの内部と外部にマグネットを配置した磁気回路）を適用しても構わない。また本実施例では、前記センターポールにはスピーカ装置の外部へ通じる開口が形成されているが、本発明では、当該開口が形成されていなくても構わない。
【００２０】
磁石１１は、円環状に形成されている。磁石１１の内径は、センターポール１４の外径よりも大きい。磁石１１は、内側にセンターポール１４を通して、ボトムプレート１３に重ねられている。前述した磁石１１は、永久磁石又は直流電源により励磁されるものでも良い。
【００２１】
ヨークプレート１２は、円環状に形成されている。ヨークプレート１２の内径は、センターポール１４の外径よりも大きい。ヨークプレート１２は、内側にヨーク１０のセンターポール１４と後述するボイスコイルボビン１６とを通した状態で、磁石１１上に重ねられている。また、ヨークプレート１２は、フレーム４の底部６が重ねられて接着剤等によって該フレーム４と固定されている。勿論、ヨークプレート１２は、フレーム４と同軸に配置される。
【００２２】
前述したヨーク１０と磁石１１とヨークプレート１２とは、互いに同軸に配置されている。このため、磁石１１とヨークプレート１２の内周面は、ヨーク１０のセンターポール１４の外周面と間隔をあけている。
【００２３】
前述した構成により、磁気回路部２は、ヨーク１０のセンターポール１４の外周面と、ヨークプレート１２の内周面との間に、後述のボイスコイル１５と協働して振動板２１を駆動（振動）するための磁力を発生する磁気ギャップＧを形成している。即ち、磁気回路部２は、ボイスコイル１５と協働して、振動板２１を振動させる。
【００２４】
振動部３は、フレーム４の本体部７内に収容されている（支持されている）。振動部３は、ボイスコイル１５と、ボイスコイルボビン１６と、ダンパ１７と、センターキャップ１８と、エッジ２０と、振動板２１などを備えている。
【００２５】
ボイスコイル１５は、磁気回路部２の前述した磁気ギャップＧ内に配されている。ボイスコイル１５には、錦糸線１９が接続している。この錦糸線１９は、一端がボイスコイルボビン１６の外周面上で半田付け等によりボイスコイル１５に接続され、且つ、他端が前述した端子部９に接続されている。ボイスコイル１５には、錦糸線１９などを介して音声電流が供給される。
【００２６】
ボイスコイルボビン１６は、円筒状に形成されている。ボイスコイルボビン１６は、内径がヨーク１０のセンターポール１４の外径よりも大きく形成され、且つ、外形がヨークプレート１２の内径よりも小さく形成されている。ボイスコイルボビン１６は、ヨーク１０とヨークプレート１２とボイスコイル１５などと同軸に配されている。
【００２７】
また、ボイスコイルボビン１６は、軸芯方向の一端部１６ａが磁気ギャップＧ内に挿入されており、該一端部１６ａの外周にボイスコイル１５を取り付けている（巻回している）。ボイスコイルボビン１６は、ヨーク１０に、該ヨーク１０の軸芯Ｐ（図２中に一点鎖線で示す）に沿って移動自在に支持されている。なお、軸芯Ｐは、スピーカ１の軸芯となっており、振動板２１則ち振動部３の振動方向をなしている。
【００２８】
ダンパ１７は、絶縁性の材料からなり、円環状で且つ薄板状に形成されている。ダンパ１７は、内縁部がボイスコイルボビン１６の他端部１６ｂに取り付けられ、且つ、外縁部がフレーム４の本体部７の内周面に取り付けられている。ダンパ１７は、ボイスコイルボビン１６即ち振動板２１が前述した軸芯Ｐに沿って振動することを許容するとともに、該ボイスコイルボビン１６即ち振動板２１の振動を徐々に減衰させる。
【００２９】
センターキャップ１８は、薄板状の樹脂で構成されている。センターキャップ１８は、平面形状が円形状で且つ断面形状が音響放射方向に向かって凸の円弧状に形成されている。センターキャップ１８は、ボイスコイルボビン１６を塞いだ格好で、外縁部が振動板２１とボイスコイルボビン１６とに取り付けられている。
【００３０】
エッジ２０は、ゴムや樹脂等の弾性を有する材料で構成されている。エッジ２０は、平面形状が円環状で且つ断面形状が音響放射方向に向かって凸の円弧状に形成されている。エッジ２０は、外縁部がフレーム４のフランジ部８に接着剤等によって取り付けられている（接合している）。エッジ２０は、内縁部が振動板２１の後述する外縁部の音響放射側の外表面２１ａに重ねられて、接着剤等によって該振動板２１と接合されている。即ち、エッジ２０は、振動板２１を取り囲むように配置されている。
【００３１】
そして、前述したエッジ２１は、外縁部がフレーム４のフランジ部８に取り付けられ且つ内縁部が振動板２１の外縁部に取り付けられて、ボイスコイルボビン１６即ち振動板２１が前述した軸芯Ｐに沿って振動することを許容するとともに、該ボイスコイルボビン１６即ち振動板２１の振動を徐々に減衰させる。
【００３２】
振動板２１は、合成樹脂で構成されており、図１に示すように、外観が切頭円錐状（円錐台状）の環状に形成されている。振動板２１は、センターキャップ１８則ちヨーク１０などと同軸に配されている。振動板２１は、内縁部がボイスコイルボビン１６の他端部１６ｂに接着剤等によって固定されている。
【００３３】
振動板２１は、外縁部の音響放射側の外表面２１ａにエッジ２０の内縁部が重ねられて、接着剤等によって該エッジ２０と接合されている。即ち、振動板２１は、外縁部がエッジ２０を介してフランジ部８即ちフレーム４に取り付けられている。振動板２１は、エッジ２０が弾性変形することで、スピーカ１の中心軸方向に沿って変位自在にフレーム４に取り付けられている。また、振動板２１の外縁部のエッジ２０との接合箇所２１ｃには、当該振動板２１と一体に形成されたリブ２２が設けられている。
【００３４】
リブ２２は、振動板２１の音響放射側と反対側の裏面２１ｂ（外表面２１ａの裏側の面）から凸状に形成されている。リブ２２は、図２に示すように、振動板２１の外周縁から内側に向かって直線状に延びている。リブ２２は、側方から見て台形状に形成されている。リブ２２は、振動板２１の周方向に沿って互いに間隔をあけて複数設けられている。複数のリブ２２は、それぞれ、振動板２１の径方向に対して所定の角度で傾斜して形成されている。そして、振動板２１のエッジ２０との接合箇所２１ｃの複数のリブ２２が形成された箇所は剛性が高くなっている。
【００３５】
また、複数のリブ２２は、当該複数のリブ２２のうち長さが最も小さく形成された最小リブ２２ａが複数（図事例では、３つ）設けられている。この複数の最小リブ２２ａは、振動板２１の周方向に沿って互いに間隔をあけるとともに、当該複数の最小リブ２２ａを結んで形成される平面形状が奇数角形（図事例では、三角形）となるように配置されている。なお、本実施例では長さが最も小さく形成された最小リブ２２ａが３つ設けられているが、本発明はこれに限定されるものではなく、奇数個であれば良い。
【００３６】
さらに、複数のリブ２２は、前記複数の最小リブ２２ａ同士の間に配された他のリブ２２ｂの長さが、該複数の最小リブ２２ａの間の中央に向かうに従って段々長くなるように形成されている。
【００３７】
そして、前述した構成の振動板２１は、複数のリブ２２のうち長さが最も小さく形成された最小リブ２２ａを複数（３つ）設けることで、当該振動板２１の外縁部のエッジ２０との接合箇所２１ｃにおいて剛性が低くなる箇所を、振動板２１の周方向に間隔をあけ且つ互いを結んで形成される平面形状が三角形となるように配置している。
【００３８】
前述した構成のスピーカ１は、ボイスコイル１５に音声電流が供給され、この音声電流に応じて磁気ギャップＧ内に配置されたボイスコイル１５が前述した軸芯Ｐに沿って振動する。そして、ボイスコイル１５が外周に巻かれたボイスコイルボビン１６が、振動板２１などと共に軸芯Ｐに沿って振動して、該振動板１５が振動することによって音声電流に応じた音を発生させる。このように、磁気回路部２は、振動板２１則ち振動部３を振動させて、音を生じさせる。
【００３９】
本実施例によれば、振動板２１のエッジ２０との接合箇所２１ｃに、該接合箇所２１ｃの剛性を高めるためのリブ２２を振動板２１の径方向に対して所定の角度で傾斜して形成し且つ振動板２１の周方向に沿って互いに間隔をあけて複数設けることにより、振動板２１のリブ２２が形成された箇所とリブ２２が形成されていない箇所とで当該振動板２１の剛性を変化させることで、振動板２１の剛性が急激に変化する境界を分散させることができる。したがって、振動板２１が振動した際に当該振動板２１の剛性が急激に変化する境界で生じる分割振動を抑止することができ、振動板２１全体において、その音圧周波数特性に鋭い山や谷（ピーク・ディップと呼称されている）として見られるような、異常音の発生を抑止することができる。
【００４０】
また、本実施例によれば、複数のリブ２２のうち、長さが最も小さく形成された最小リブ２２ａを振動板の周方向に間隔をあけて複数設けるとともに、複数の最小リブ２２ａの間に配された他のリブ２２ｂの長さを該複数の最小リブ２２ａの間の中央に向かうに従って段々長くなるように形成していることにより、振動板２１の周方向に対して剛性が不均一となるので、振動板２１が振動した際に当該振動板２１の剛性が急激に変化する境界で生じる分割振動をより抑止することができる。
【００４１】
さらに、本実施例によれば、長さが最も小さく形成された複数の最小リブ２２ａを振動板２１の周方向に間隔をあけて配置することで、振動板２１のエッジ２０との接合箇所２１ｃの複数の剛性の低くなる箇所を、該振動板２１の周方向に間隔をあけて形成することにより、振動板２１の周方向に対して剛性がより不均一となるので、振動板２１が振動した際に当該振動板２１の剛性が急激に変化する境界で生じる分割振動をより抑止することができる。
【００４２】
また、本実施例によれば、長さが最も小さく形成された複数の最小リブ２２ａを、互いを結んで形成される平面形状が奇数角形となるように配置することで、振動板２１のエッジ２０との接合箇所２１ｃの複数の剛性の低くなる箇所を結んで形成される平面形状が奇数角形となるようにすることにより、振動板２１の周方向に対して剛性がより一層不均一となるので、振動板２１が振動した際に当該振動板２１の剛性が急激に変化する境界で生じる分割振動をより抑止することができる。
【００４３】
前述した実施例では、振動部３は、外観が切頭円錐状で且つ環状に形成された振動板２１を有していた。しかしながら、本発明では、振動部３は、振動板を平板状に形成して、該振動板に取り付けられた外観が切頭円錐状で且つ環状の駆動コーンを有する構成としても良い。また、本実施例において、振動板２１は合成樹脂等で構成されていたが、本発明では、紙等の公知の材料を用いて構成されていても良い。
【００４４】
また、前述した実施例では、複数のリブ２２のうち、長さが最も小さく形成された最小リブ２２ａを複数設け、且つ、該複数の最小リブ２２ａ同士の間に配された他のリブ２２ｂの長さが、該複数の最小リブ２２ａの間の中央に向かうに従って段々長くなるように形成していた。しかしながら、本発明では、複数のリブ２２の高さ又は厚さが異なるように形成されていても良く、複数のリブ２２の長さ、高さ及び厚さがそれぞれ異なるように形成されていても良い。
【００４５】
前述した実施例によれば、以下のスピーカ１が得られる。
【００４６】
（付記）フレーム４と、
前記フレーム４に支持される磁気回路部２と、
音声電流が供給されるボイスコイル１５に作用する駆動力によって振動する振動板２１と、該振動板２１を囲むように設けられ且つ外縁部が前記フレーム４に取り付けられるエッジ２０とを有する振動部３と、を備えたスピーカ１において、
前記振動板２１の前記エッジ２０との接合箇所２１ｃに、該接合箇所２１ｃの剛性を高めるためのリブ２２を前記振動板２１の周方向に沿って互いに間隔をあけて複数設けているとともに、
前記複数のリブ２２が、前記振動板２１の径方向に対して所定の角度で傾斜していることを特徴とするスピーカ１。
【００４７】
付記によれば、振動板２１のエッジ２０との接合箇所２１ｃに、該接合箇所２１ｃの剛性を高めるためのリブ２２を振動板２１の径方向に対して所定の角度で傾斜して形成し且つ振動板２１の周方向に沿って互いに間隔をあけて複数設けているので、振動板２１のリブ２２が形成された箇所とリブ２２が形成されていない箇所とで当該振動板２１の剛性を変化させて、振動板２１の剛性が急激に変化する境界を分散させることができ、よって、振動板２１が振動した際に当該振動板２１の剛性が急激に変化する境界で生じる分割振動を抑止することができる。したがって、振動板２１全体において、その音圧周波数特性に鋭い山や谷（ピーク・ディップと呼称されている）として見られるような、異常音の発生を抑止することができる。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４９】
【図１】本発明の一実施例にかかるスピーカを示す断面図である。
【図２】図１に示されたスピーカの音響放射方向の反対側から見た振動板を示す斜視図である。
【図３】図１に示された振動板の平面図である。
【符号の説明】
【００５０】
１    スピーカ
２    磁気回路部
３    振動部
４    フレーム
１５    ボイスコイル
２０    エッジ
２１    振動板
２１ｃ  接合箇所
２２    リブ
２２ａ  最小リブ
２２ｂ  他のリブ
Ｇ  磁気ギャップ
Ｐ  軸心
【図１】
2009159009.tif 000003
【図２】
2009159009.tif 000004
【図３】
2009159009.tif 000005